(57)【要約】【課題】ホースを楽に、かつ幅狭く収納できる電気掃除機を提供する。【解決手段】被係止部８を有する掃除機本体２と、一端がホース継手１０を介して掃除機本体２に接続されるホース３と、ホース３の他端に接続された吸込把持部５と、吸込把持部５に接続されスタンド収納時に被係止部８に係止させるフック９を有する延長管６と、吸込把持部５の後端部に設けられた被掛止部１８と、ホース３に取り付けられるホース掛止具４を備え、ホース３の収納時に被掛止部１８に着脱自在に掛止させるフック部１５をホース掛止具４に設けたもので、フック９を被係止部８に係止して電気掃除機をスタンド収納する時、上方に位置する吸込把持部５の被掛止部１８にホース掛止具４のフック部１５を掛止することで、腰を屈めることなく楽に、電気掃除機１を幅狭くスリムに収納できる。【選択図】図２
2019000343.tif 000002
【特許請求の範囲】
【請求項１】
電動送風機を内蔵すると共にスタンド収納用の被係止部を有する掃除機本体と、一端がホース継手を介して前記掃除機本体に接続される可撓性のあるホースと、前記ホースの他端に接続された吸込把持部と、前記吸込把持部に接続され、前記スタンド収納時に前記被係止部に係止させる係止部を有する延長管と、前記延長管に接続された床用吸込具と、前記吸込把持部の後端部に設けられた被掛止部と、前記ホースに取り付けられるホース掛止具を備え、前記ホースの収納時に前記被掛止部に着脱自在に掛止させる掛止部を前記ホース掛止具に設けたことを特徴とする電気掃除機。
【請求項２】
掛止部はホースの軸方向に突出したフック部を備えており、被掛止部は前記フック部を着脱自在に嵌め込んで掛止する掛止溝孔を備えたことを特徴とする請求項１に記載の電気掃除機。
【請求項３】
磁石と磁性体のいずれか一方で掛止部を、他方で被掛止部を夫々形成したことを特徴とする請求項１に記載の電気掃除機。
【発明の詳細な説明】
【技術分野】
【０００１】
本発明は、電気掃除機に関するものである。
【背景技術】
【０００２】
従来から用いられている電気掃除機の収納方法には、掃除機本体を床面に立て、掃除機本体に設けられた被係止部にパイプの係止部を嵌合し、床面に対してパイプが直立するように電気掃除機を収納するスタンド収納がある。
【０００３】
しかしながら、電気掃除機の快適な使用のためにホースの長さを十分に確保した場合、従来のスタンド収納においては、ホースは大きく膨らんだ状態にあるため、外観性を損ない、また収納スペースが拡大する問題があった。
【０００４】
このような問題を解決するために、ホースに係止具を、延長管に被係止具を備え付けることで、電気掃除機の収納時にホース係止具を被係止具に取り付けて、ホースを収納するようにしたものがあった（例えば、特許文献１）。
【先行技術文献】
【特許文献】
【０００５】
【特許文献１】特開平２−９８３２９号公報
【発明の概要】
【発明が解決しようとする課題】
【０００６】
しかしながら、上述した特許文献１に記載された従来の電気掃除機では、電気掃除機の収納時にホースが意図しない方向へ湾曲するため、収納姿がスリムにならず外観性を損なうという課題があった。また、収納時に使用者が腰を屈めてホース収納を行うため、体の負担が大きいといった課題もあった。
【０００７】
本発明は、このような従来の課題を解決するもので、楽に収納でき、尚且つ幅狭い収納形態が可能な電気掃除機を提供することを目的とする。
【課題を解決するための手段】
【０００８】
上記従来の課題を解決するために、本発明の電気掃除機は、電動送風機を内蔵すると共にスタンド収納用の被係止部を有する掃除機本体と、一端がホース継手を介して前記掃除機本体に接続される可撓性のあるホースと、前記ホースの他端に接続された吸込把持部と、前記吸込把持部に接続され、前記スタンド収納時に前記被係止部に係止させる係止部を有する延長管と、前記延長管に接続された床用吸込具と、前記吸込把持部の後端部に設けられた被掛止部と、前記ホースに取り付けられるホース掛止具を備え、前記ホースの収納時に前記被掛止部に着脱自在に掛止させる掛止部を前記ホース掛止具に設けたもので、電気掃除機の不使用時には掃除機本体の後面部を床面に対向させて掃除機本体を起立配置し、延長管の係止部を掃除機本体の被係止部に係止すると共に、ホースに取り付けられたホース掛止具の掛止部を、掃除機本体とホースの接続部から遠く、上方に位置する吸込把持部の後端部に設けた被掛止部に掛止することにより、使用者は、腰を屈めることなく楽に電気掃除機を収納でき、またホースの撓みを抑えることで幅狭くスリムな収納形態を実現することができる。
【発明の効果】
【０００９】
本発明の電気掃除機は、電気掃除機の収納時に腰を屈めることなく楽に収納でき、かつ
外観が良好な幅狭い収納形態をとることが可能な電気掃除機を提供することができる。
【図面の簡単な説明】
【００１０】
【図１】本発明の実施の形態１における電気掃除機の右側面図
【図２】同電気掃除機の収納状態右側面図
【図３】同電気掃除機の掃除機本体の斜視図
【図４】同電気掃除機の延長管の斜視図
【図５】同電気掃除機のホース掛止具の斜視図
【図６】同電気掃除機の吸込把持部の斜視図
【図７】同吸込把持部の分解斜視図
【図８】同吸込把持部の断面図
【発明を実施するための形態】
【００１１】
第１の発明は、電動送風機を内蔵すると共にスタンド収納用の被係止部を有する掃除機本体と、一端がホース継手を介して前記掃除機本体に接続される可撓性のあるホースと、前記ホースの他端に接続された吸込把持部と、前記吸込把持部に接続され、前記スタンド収納時に前記被係止部に係止させる係止部を有する延長管と、前記延長管に接続された床用吸込具と、前記吸込把持部の後端部に設けられた被掛止部と、前記ホースに取り付けられるホース掛止具を備え、前記ホースの収納時に前記被掛止部に着脱自在に掛止させる掛止部を前記ホース掛止具に設けたもので、電気掃除機の不使用時には掃除機本体の後面部を床面に対向させて掃除機本体を起立配置し、延長管の係止部を掃除機本体の被係止部に係止すると共に、ホースに取り付けられたホース掛止具の掛止部を、掃除機本体とホースの接続部から遠く、上方に位置する吸込把持部の後端部に設けた被掛止部に掛止することにより、使用者は、腰を屈めることなく楽に電気掃除機を収納でき、またホースの撓みを抑えることで幅狭くスリムな収納形態を実現することができる。
【００１２】
第２の発明は、特に、第１の発明の掛止部は、ホースの軸方向に突出したフック部を備えており、被掛止部は前記フック部を着脱自在に嵌め込んで掛止する掛止溝孔を備えたもので、収納時にホース掛止具の向きを１方向に規制できるため、ホースが意図しない方向に湾曲することがなく、幅狭くスリムな収納形態を維持することができる。
【００１３】
第３の発明は、特に、第１の発明の電気掃除機において、磁石と磁性体のいずれか一方で掛止部を、他方で被掛止部を夫々形成したもので、ホース掛止具の掛止部の被掛止部への取り付け時に使用者が狙いを定める必要なく、容易に取り付けることができる。
【００１４】
（実施の形態１）
図１は、本発明の実施の形態１における電気掃除機の右側面図、図２は、同電気掃除機の収納状態右側面図、図３は、同電気掃除機の掃除機本体の斜視図、図４は、同電気掃除機の延長管の斜視図、図５は、同電気掃除機のホース掛止具の斜視図、図６は、同電気掃除機の吸込把持部の斜視図、図７は、同吸込把持部の分解斜視図、図８は、同吸込把持部の断面図である。
【００１５】
以下では、電気掃除機１およびその構成要素（構成部品）の説明に関し、便宜上、図１における左側を正面（先端）側、右側を背面（後端）側、上側を上面（上）側、下側を底面（下）側、手前を右側、奥を左側として説明する。
【００１６】
図１、２において、本実施の形態における電気掃除機１には、掃除機本体２と、ホース３と、ホース掛止具４と、吸込把持部５と、延長管６と、床用吸込具７が含まれている。
【００１７】
掃除機本体２は、吸引力を発生させる電動送風機（図示せず）及び集塵部（図示せず）
を備えている。また、掃除機本体２の底面の前面には被係止部８（図３参照）が設けられている。図２に示すように、掃除機本体２の背面を床に付け、正面を天に向けて電気掃除機１を立てて収納するいわゆるスタンド収納時において、被係止部８は、延長管６を略垂直状態に保つものであり、延長管６に備えられた係止部としてのフック９（図４参照）を嵌め込むための凹部８ａを形成している。
【００１８】
ホース３は、一端がホース継手１０を介して掃除機本体２に接続されており、集塵部と連通している。
【００１９】
ホース掛止具４は、前記ホース３に取り付けられるもので、ポリプロピレン等の弾性を有する合成樹脂製で、図５に示すように、一端に設けられた重合係止部１１と、他端に設けられ前記重合係止部１１の掛止孔１２に掛止められる掛止フック１３と、前記ホース３に巻付固定される環状のホース巻付固定帯体１４と、前記ホース巻付固定帯体１４の外周面に一体成形された掛止部としてホース軸方向に突出したフック部１５により構成されている。
【００２０】
さらにホース巻付固定帯体１４の内周面には、ホース３の外周面に接触してホース巻付固定帯体１４のホース３への巻付保持力を高めるための複数の当りリブ１６が突出形成されている。
【００２１】
図１に示すように、吸込把持部５は、一端がホース３に接続されており、電動送風機の電源のオン、オフ等使用者が操作を行うための複数のスイッチ（図示せず）を備えている。
【００２２】
一方、吸込把持部５の他端には、延長管６が接続されており、前記延長管６先端には床用吸込具７が接続されており、使用者が吸込把持部５を用いて電源オン操作を行うと、掃除機本体２内部の電動送風機が駆動し、床用吸込具７の吸込口（図示せず）から吸引風が発生し、床面等に付いている塵埃を吸い取り、延長管６、吸込把持部５、ホース３を介して掃除機本体２内部の集塵部に集塵することが可能である。
【００２３】
尚、延長管６は吸込把持部５に対して着脱自在であるため、延長管６を吸込把持部５から外して、吸込把持部５の開口部３０（図７参照）から塵埃を吸い込むことも可能であり、延長管６から床用吸込具７を取り外し、延長管６の開口部分６ａ（図４参照）から塵埃を吸い込むことも可能である。
【００２４】
次に、図６〜８を用いて吸込把持部５の詳細について説明する。
【００２５】
図６〜図８において、吸込把持部５の第１の管体３１は、図８に示すように、延長管６の中心軸線Ａ１と合致する中心軸線Ｂ１を持ち、延長管６の端部に嵌め合わせて接続されるようになっている。また、第１の管体３１は、中心軸線Ｂ１と所定の角度をなす中心軸線Ｂ２を持つように屈曲形成された曲がりパイプとなっている。本実施の形態では、中心軸線Ｂ１と中心軸線Ｂ２とのなす角度θ１は２５°としている。
【００２６】
また、第１の管体３１に回転可能に連結される第２の管体３２は、図８に示すように、第１の管体３１の中心軸線Ｂ２と合致する中心軸線Ｃ１を持ち、他端にホース３が接続されるようになっている。第１の管体３１の後端部には前記ホース掛止具４のフック部１５を着脱自在に嵌め込んで掛止する掛止溝孔１７を備えた被掛止部１８を形成している。
【００２７】
そして、第２の管体３２が、第１の管体３１に相対回転可能であるように挿入されて、かつ、第１の管体３１と第２の管体３２が適宜手段によって外れぬように連結されて、こ
れによって第２の管体３２が第１の管体３１の中心軸線Ｂ２を基準に回転できるように構成されている。
【００２８】
なお、第１の管体３１と第２の管体３２との抜け止め結合手段は任意によるものを採用可能であるが、本実施の形態では、図８に示すように、第２の管体３２に環状溝３６を設けて、第１の管体３１に第２の管体３２を挿入した後、第１の管体３１の開口３７から抜け止め片３８の一部を環状溝３６に挿入することによって、第１の管体３１と第２の管体３２とが外れないように連結される。第２の管体３２の他端には、ホース３が接続されるようになっている。また、ホース３を第２の管体３２に取り付けた外周にはホースカバー３９を設けている。
【００２９】
把手部３３は、第１の管体３１の上方を覆い、第１の管体３１の屈曲部近傍からホース３側に延長管６の略延長方向に延設されたカバー体右４０と、第１の管体３１の屈曲部近傍から延長管６側に延長管６の略延長方向に延設されたカバー体左４１で構成されている。本実施の形態では、カバー体右４０と延長管６の中心軸線Ａ１とのなす角θ２は３５°となるように設定されている。カバー体右４０と第１の管体３１との間には、掃除機本体２の電動送風機の制御や、床用吸込具７の電動機（図示せず）の制御を行う制御部５０を収納しており、制御部５０を操作するための操作部５１が設けてある。
【００３０】
操作部５１は複数のスイッチ（図示せず）から構成されており、スイッチの使用頻度の高い掃除機本体２の電動送風機を制御するスイッチより、使用頻度の低い床用吸込具７の電動機（図示せず）用のスイッチを握り部４５から遠くに配置している。
【００３１】
第１の管体３１の延長管６側の上方とカバー体左４１との間には、延長管６の給電線（図示せず）に接続した端子（図示せず）を着脱自在に接続する端子（図示せず）と、制御部５０からリード線（図示せず）により給電され、抵抗器（図示せず）と光源（図示せず）を搭載した光源制御部５３とを備え、延長管６を第１の管体３１に連結するためのフック体６１をバネ５５により保持している。
【００３２】
光源制御部５３は第１の管体３１に備えられたリブ２６により保持され、カバー体左４１により挟み込むことで固定される。光源制御部５３に搭載された光源はレンズ５４を介して照射され、レンズ５４は、カバー体左４１の凹部４２に挟み込むことで保持される。また、第１の管体３１の屈曲部近傍とカバー体右４０との間には、ホース３の給電線（図示せず）から制御部５０へ給電するためのリード線（図示せず）を保持している。上記全てのリード線は、第１の管体３１に備えられたリブ（図示せず）により挟み込むことで保持される。
【００３３】
以上のように、本実施の形態における電気掃除機は、吸込把持部５の後端部にホース３の収納用に被掛止部１８を備え、また、前記ホース３に取り付けられ、ホース３の収納時に吸込把持部５の被掛止部１８に着脱自在に掛止させるフック部１５を有するホース掛止具４を備えることで、楽に収納でき、尚且つ幅狭い収納形態が可能となるものである。
【００３４】
なお、上記実施の形態では、ホース３を収納する際、ホース掛止具４のフック部１５を吸込把持部５の被掛止部１８に引っ掛けるようにしたが、図示しない磁石と磁性体のいずれか一方でフック部１５を、他方で被掛止部１８を夫々形成するようにすれば、ホース掛止具４のフック部１５の被掛止部１８への取り付け時に使用者が狙いを定める必要がなく、容易に取り付けることができるようになる。
【００３５】
この発明は、以上の実施の形態の内容に限定されるものではなく、請求項記載の範囲内において種々の変更が可能である。
【産業上の利用可能性】
【００３６】
以上のように、本発明に係る電気掃除機は、ホースを楽に収納でき、尚且つ幅狭い収納形態が可能となるもので、家庭用、業務用の各種電気掃除機に広く適用可能である。
【符号の説明】
【００３７】
１  電気掃除機
２  掃除機本体
３  ホース
４  ホース掛止具
５  吸込把持部
６  延長管
６ａ  開口部分
７  床用吸込具
８  被係止部
８ａ、４２  凹部
９  フック（係止部）
１０  ホース継手
１１  重合係止部
１２  掛止孔
１３  掛止フック
１４  ホース巻付固定帯体
１５  フック部（掛止部）
１６  当りリブ
１７  掛止溝孔
１８  被掛止部
２６  リブ
３０  開口部
３１  第１の管体
３２  第２の管体
３３  把手部
３６  環状溝
３７  開口
３８  抜け止め片
３９  ホースカバー
４０  カバー体右
４１  カバー体左
４５  握り部
５０  制御部
５１  操作部
５３  光源制御部
５４  レンズ
５５  バネ
６１  フック体
【図１】
2019000343.tif 000003
【図２】
2019000343.tif 000004
【図３】
2019000343.tif 000005
【図４】
2019000343.tif 000006
【図５】
2019000343.tif 000007
【図６】
2019000343.tif 000008
【図７】
2019000343.tif 000009
【図８】
2019000343.tif 000010